(57)【要約】【課題】意匠効果および視覚的な興趣性を高めることができる箱体を提供すること。【解決手段】天板４と、天板４の周囲に設けられ、天板４に連続する側板５とを有し、内容物１０を収容可能な箱体１であって、上箱２の天板４に、天板４から上方に突出する立体的な装飾部１１が形成されており、装飾部１１は、内容物１０に相当する饅頭を模した形状に形成されている。【選択図】図１
2017121959.tif 000002
【特許請求の範囲】
【請求項１】
天板と、前記天板の周囲に設けられ、前記天板に連続する側板とを有し、内容物を収容可能な箱体であって、
前記天板に、前記天板から上方に突出する立体的な装飾部が形成されており、前記装飾部は、所定の情報を表わす形状に形成されていることを特徴とする箱体。
【請求項２】
前記天板の周囲に、前記天板から上方に突出する突出部が形成されており、
前記突出部は、前記装飾部の突出方向上端よりも上方に突出していることを特徴とする請求項１に記載の箱体。
【請求項３】
前記側板に切り取り線またはミシン目が形成されており、前記切り取り線またはミシン目は、前記側板の周方向に亙って形成されていることを特徴とする請求項１または請求項２に記載の箱体。
【請求項４】
前記所定の情報を表わす形状は、前記内容物を表わす形状であることを特徴とする請求項１から請求項３のいずれか１項に記載の箱体。
【請求項５】
前記装飾部および前記天板に前記所定の情報を表わす絵が描かれていることを特徴とする請求項１から請求項４のいずれか１項に記載の箱体。
【発明の詳細な説明】
【技術分野】
【０００１】
本発明は、内容物を収容可能な箱体に関する。
【背景技術】
【０００２】
従来、お菓子等の内容物を収容可能な包装箱等の箱体としては、箱体の意匠効果を向上させるために、平面状の天板を色彩や模様が印刷された板紙で形成したものが知られている（例えば、特許文献１参照）。
【先行技術文献】
【特許文献】
【０００３】
【特許文献１】特開２００９−５１５１４号公報
【発明の概要】
【発明が解決しようとする課題】
【０００４】
しかしながら、このような従来の箱体にあっては、平面状の天板に色彩や模様が印刷されているだけである。このため、意匠効果や視覚的な興趣を高めるのに十分な余地がある。
【０００５】
本発明は、上記のような問題点に着目してなされたものであり、意匠効果および視覚的な興趣性を高めることができる箱体を提供することを目的とするものである。
【課題を解決するための手段】
【０００６】
本発明は、天板と、前記天板の周囲に設けられ、前記天板に連続する側板とを有し、内容物を収容可能な箱体であって、前記天板に前記天板から上方に突出する立体的な装飾部が形成されており、前記装飾部は、所定の情報を表わす形状に形成されている。
【発明の効果】
【０００７】
本発明によれば、意匠効果および視覚的な興趣性を高めることができる。
【図面の簡単な説明】
【０００８】
【図１】図１は、本発明の一実施の形態に係る箱体の斜視図である。
【図２】図２は、本発明の一実施の形態に係る箱体の上箱と下箱とを分離した状態を示す斜視図である。
【図３】図３は、本発明の一実施の形態に係る箱体の上面図である。
【図４】図４は、図３のIＶ−IＶ方向矢視断面図である。
【図５】図５は、本発明の一実施の形態に係る箱体を図３の矢印Ｖ方向から見た正面図である。
【図６】図６は、本発明の一実施の形態に係る箱体を図３の矢印ＶI方向から見た側面図である。
【図７】図７は、本発明の一実施の形態に係る箱体を積み重ねた状態を示す斜視図である。
【図８】図８は、本発明の一実施の形態に係る箱体において、側板から切り離された天板を示す斜視図である。
【発明を実施するための形態】
【０００９】
以下、本発明に係る箱体の実施の形態について、図面を用いて説明する。
図１〜図８は、本発明の一実施の形態に係る箱体を示す図である。
まず、構成を説明する。
図１において、矩形状の箱体１は、例えば、包装箱として用いられる。図２において、箱体１は、上箱２および下箱３を備えており、上箱２および下箱３は、樹脂材料、紙、金属等から構成されている。上箱２は、天板４と、天板４の周囲に設けられ、天板４に連続する側板５とを有する。側板５は、前側、後側および左右両側に４つ設けられている。
【００１０】
下箱３は、底板７と、底板７の周囲に設けられ、底板７に連続する側板８とを有する。側板８は、前側、後側および左右両側に４つ設けられている。
上箱２は、側板５が下箱３の側板８の外方に重なるようにして下箱３に装着される。これにより、箱体１の内部には天板４、側板５、側板８および底板７によって囲まれる閉空間が形成される。
【００１１】
この箱体１の内部には内容物１０が収容される（図２参照）。本実施の形態の内容物１０としては、例えば、複数の饅頭が収容されている。なお、内容物としては、洋菓子や和菓子等の菓子類、ジュース類、アルコール飲料類、缶類、瓶類、麺類、おもちゃ類等、何でもよく、特に限定されるものではい。
【００１２】
図１〜図６において、天板４には天板４から上方に突出する立体的な装飾部１１が形成されており、装飾部１１は、所定の情報を表わす形状に形成されている。本実施の形態の所定の情報を表わす形状として、複数の饅頭を模した半球形状に形成されている。また、天板４および装飾部１１に所定の情報を表わす図示しない絵が描かれている。所定の情報の絵としては、饅頭の絵であり、例えば、饅頭の皮と皮の中央に描かれた餡子の絵からなる。
【００１３】
なお、所定の情報を表わす形状および所定の情報を表わす絵としては、内容物１０を模した形状や絵に限定されるものではなく、内容物１０とは直接関係のない山や川等の自然を模した形状や絵、乗り物や建造物を模した形状や絵、キャラクターや人物を模した形状や絵であってもよい。
【００１４】
また、内容物１０を連想させる形状や絵であってもよい。例えば、内容物１０がチーズであれば、装飾部１１が牛を模した形状や絵が描かれ、内容物１０がラーメン類であれば、ラーメン屋台を模した形状や絵が描かれてもよい。但し、内容物１０の形状や絵としては、これらに限定されるものではない。
【００１５】
天板４の周囲には突出部１２が形成されており、突出部１２は、天板４から上方に突出している。突出部１２の突出方向上端１２ａは、装飾部１１の突出方向上端１１ａよりも上方に突出している（図４参照）。
【００１６】
突出部１２の内側には段部１２ｂが形成されており、段部１２ｂは、突出方向上端１２ａよりも下方に位置し、かつ、装飾部１１の突出方向上端１１ａよりも下方に位置している（図４参照）。
【００１７】
図１、図２、図５、図６において、側板５には切り取り線１３が形成されており、切り取り線１３は、側板５の周方向に亙って形成されている。これにより、ハサミ等を用いて切り取り線１３に沿って側板５を切断することにより、側板５から天板４および突出部１２を分離できる。
【００１８】
本実施の形態の箱体１によれば、上箱２の天板４に、天板４から上方に突出する立体的な装飾部１１が形成されており、装飾部１１は、内容物１０を模した形状に形成されている。
【００１９】
これにより、箱体１を、単純な形状の包装箱、あるいは、従来のように平面状の天板に、色彩や模様が印刷された板紙で形成された包装箱としてではなく、意匠効果や視覚的な興趣を高めた付加価値の高い包装箱とすることができる。
【００２０】
また、本実施の形態の箱体１によれば、天板４の周囲に、天板４から上方に突出する突出部１２が形成されており、突出部１２の突出方向上端１２ａが、装飾部１１の突出方向上端１１ａよりも上方に突出している。
【００２１】
これにより、図７に示すように、他の箱体１の底板７が装飾部１１に接触することを防止して、突出部１２の突出方向上端１２ａに他の箱体１を積み重ねて陳列することができる。このため、装飾部１１を保護しつつ、狭い設置スペースにおいてより多くの箱体１（商品）を容易に陳列することができる。あるいは、装飾部１１を保護しつつ、段ボール箱等により多くの箱体１を積み重ねて収納でき、多くの箱体１を効率よく移送できる。
【００２２】
また、本実施の形態の箱体１によれば、側板５に切り取り線１３が形成され、切り取り線１３が側板５の周方向に亙って形成される。これにより、切り取り線１３を境にして、側板５から天板４および突出部１２を一体で切り離すことができる（図８参照）。
【００２３】
なお、切り取り線１３ではなく、ミシン目であってもよい。ミシン目を設けた場合には、ハサミ等の工具を使用することなく、側板５から天板４および突出部１２を容易に切り離すことができる。
【００２４】
このため、装飾部１１を鑑賞物として、装飾部１１の周囲を囲んだ突出部１２を額縁として、壁等に飾ることができる。したがって、装飾部１１の種類によっては、箱体１を鑑賞物として楽しむことができる。
【００２５】
また、本実施の形態の箱体１によれば、装飾部１１の形状を、内容物１０を表わす形状に形成し、装飾部１１および天板４に内容物１０を表わす絵が描かれている。これにより、装飾部１１を一目見ただけで内容物１０の種類を特定することができ、箱体１の意匠効果や視覚的な興趣をより効果的に高めることができる。
【００２６】
なお、本実施の形態の箱体１は、矩形状に形成されているが、これに限定されるものではなく、円柱、三角柱、角柱、外周面の一部が円形に形成された立体形状等に形成されてもよい。
【００２７】
また、本実施の形態の箱体１は、別体の上箱２および下箱３から構成されているが、これに限定されるものではなく、一体の箱体から構成されてもよい。一体の箱体から構成された場合であっても、切り取り線１３を境に天板を側板から分離することで、箱体に収容された内容物を箱体から容易に取り出すことができる。
【００２８】
また、本実施の形態の箱体１には絵が描かれているが、装飾部１１の形状を見て内容物１０やその他の情報を認識できる場合には絵が描かれていなくてもよい。さらに、天板４の裏面に厚紙等を張り付けてもよい。このようにすれば、上箱２を裏側から見たときに、装飾部１１の裏面が見えてしまうことを防止して、上箱２の見栄えが悪くなることを防止できる。
【００２９】
さらに、本実施の形態の箱体１は、突出部１２が形成されているが、突出部１２が形成されていなくてもよい。突出部１２が形成されていない場合には、切り取り線１３が形成されていなくてもよい。
【００３０】
本発明の実施の形態を開示したが、当業者によっては本発明の範囲を逸脱することなく変更が加えられうることは明白である。すべてのこのような修正および等価物が次の請求項に含まれることが意図されている。
【符号の説明】
【００３１】
１...箱体、４...天板、５...側板、１０...内容物、１１...装飾部、１１ａ...突出方向上端（装飾部の突出方向上端）、１２...突出部、１２ａ...突出方向上端（突出部の突出方向上端）、１３...切り取り線
【図１】
2017121959.tif 000003
【図２】
2017121959.tif 000004
【図３】
2017121959.tif 000005
【図４】
2017121959.tif 000006
【図５】
2017121959.tif 000007
【図６】
2017121959.tif 000008
【図７】
2017121959.tif 000009
【図８】
2017121959.tif 000010